(57)【特許請求の範囲】
【請求項１】
光を射出する光源と、
前記光源から射出された光が入射される光学部材と、
前記光学部材を通過した光を変調する光変調装置と、
前記光変調装置によって変調された光を投射する投射光学装置と、
前記光学部材の光軸を調整する調整機構と、
を備え、
前記調整機構は、
第１部材と、
前記第１部材に対して前記光学部材の光軸に直交する第１方向に移動可能に取り付けられた第２部材と、
前記光学部材を保持し、かつ、前記第２部材に対して前記光軸と平行な回転中心軸周りに回転可能に取り付けられた第３部材と、
前記第１部材に対して前記第２部材を前記第１方向に移動させる第１調整部と、
前記第２部材に対して前記第３部材を前記回転中心軸周りに回転させる第２調整部と、
を有し、
前記回転中心軸は、前記光軸に対して前記第１方向にずれており、
前記第１調整部の操作部と前記第２調整部の操作部とは、同じ側に臨んでいることを特徴とするプロジェクター。
【請求項２】
光を射出する光源と、
前記光源から射出された光が入射される光学部材と、
前記光学部材を通過した光を変調する光変調装置と、
前記光変調装置によって変調された光を投射する投射光学装置と、
前記光学部材の光軸を調整する調整機構と、
を備え、
前記調整機構は、
第１部材と、
前記第１部材に対して前記光学部材の光軸に直交する第１方向に移動可能に取り付けられた第２部材と、
前記光学部材を保持し、かつ、前記第２部材に対して前記光軸と平行な回転中心軸周りに回転可能に取り付けられた第３部材と、
前記第１部材に対して前記第２部材を前記第１方向に移動させる第１調整部と、
前記第２部材に対して前記第３部材を前記回転中心軸周りに回転させる第２調整部と、
を有し、
前記第１調整部の操作部と前記第２調整部の操作部とは、同じ側に臨んでおり、
前記第１調整部は、頭部が前記第１調整部の操作部である第１ネジ部材を有し、
前記第２部材には、第１ネジ孔が形成され、
前記第１部材には、前記第１ネジ孔よりも前記第１ネジ部材の頭部側に第１貫通孔が形成され、
前記第１ネジ部材は、前記第１方向に延びており、かつ、前記第１貫通孔に通されて前記第１ネジ孔に螺合されており、
前記第２部材は、
第２部材本体と、
前記第２部材本体に対して揺動可能に保持された揺動部材と、
を有し、
前記第１ネジ孔は、前記揺動部材に形成されていることを特徴とするプロジェクター。
【請求項３】
光を射出する光源と、
前記光源から射出された光が入射される光学部材と、
前記光学部材を通過した光を変調する光変調装置と、
前記光変調装置によって変調された光を投射する投射光学装置と、
前記光学部材の光軸を調整する調整機構と、
前記光学部材および前記調整機構を収容する筐体と、
を備え、
前記調整機構は、
第１部材と、
前記第１部材に対して前記光学部材の光軸に直交する第１方向に移動可能に取り付けられた第２部材と、
前記光学部材を保持し、かつ、前記第２部材に対して前記光軸と平行な回転中心軸周りに回転可能に取り付けられた第３部材と、
前記第１部材に対して前記第２部材を前記第１方向に移動させる第１調整部と、
前記第２部材に対して前記第３部材を前記回転中心軸周りに回転させる第２調整部と、
を有し、
前記第１調整部の操作部と前記第２調整部の操作部とは、同じ側に臨んでおり、
前記筐体は、前記調整機構を介して前記光学部材が設置された設置部を有する筐体本体部を有し、
前記筐体本体部は、
底部と、
前記底部の外縁から立ち上がった壁部と、
を有し、
前記第１調整部の操作部と前記第２調整部の操作部とは、前記底部と反対側に臨んでおり、
前記第１部材と前記第２部材と前記第３部材とは、前記光軸に平行な第３方向に沿って視て、重なり合って配置され、
前記設置部は、前記第１部材と前記第２部材と前記第３部材とを前記第３方向に挟んで保持する挟持部を有することを特徴とするプロジェクター。
【請求項４】
前記筐体は、前記壁部の前記底部と反対側の端部に取り付けられ前記底部を覆う蓋部をさらに有し、
前記蓋部には、前記蓋部を貫通する調整孔が形成され、
前記第１調整部の操作部および前記第２調整部の操作部は、前記調整孔を介して、前記筐体の外部から視認可能である、請求項３に記載のプロジェクター。
【請求項５】
前記筐体は、前記壁部の前記底部と反対側の端部に取り付けられ前記底部を覆う蓋部をさらに有し、
前記蓋部は、前記調整機構と接触していない、請求項３または４に記載のプロジェクター。
【請求項６】
前記第２調整部は、頭部が前記第２調整部の操作部である第２ネジ部材を有し、
前記第２部材と前記第３部材とのいずれか一方には、第２ネジ孔が形成され、
前記第２部材と前記第３部材とのいずれか他方には、前記第２ネジ孔よりも前記第２ネジ部材の頭部側に第２貫通孔が形成され、
前記第２ネジ孔および前記第２貫通孔は、前記光軸および前記第１方向の両方に直交する第２方向において、前記回転中心軸と異なる位置にあり、
前記第２ネジ部材は、前記第１方向に延びており、かつ、前記第２貫通孔に通されて前記第２ネジ孔に螺合されている、請求項１から５のいずれか一項に記載のプロジェクター。
【請求項７】
前記第２ネジ孔は、前記第２部材に形成され、
前記第２貫通孔は、前記第３部材に形成されている、請求項６に記載のプロジェクター。
【請求項８】
前記光学部材は、レンズである、請求項１から７のいずれか一項に記載のプロジェクター。
【請求項９】
前記レンズは、前記光源から射出された光が入射され、入射された前記光の方向を調整するフィールドレンズである、請求項８に記載のプロジェクター。
【発明の詳細な説明】
【技術分野】
【０００１】
本発明は、プロジェクターに関する。
【背景技術】
【０００２】
例えば、特許文献１には、コンデンサーレンズを画面縦方向および画面横方向に移動可能な調整機構が記載されている。
【先行技術文献】
【特許文献】
【０００３】
【特許文献１】特開２００５−４３６５３号公報
【発明の概要】
【発明が解決しようとする課題】
【０００４】
しかし、上記のような調整機構においては、コンデンサーレンズ（光学部材）を画面縦方向に移動させる場合とコンデンサーレンズを画面横方向に移動させる場合とで、調整工具を使用する向きが異なる場合があり、コンデンサーレンズの光軸の位置を調整する手間が掛かる問題があった。
【０００５】
これに対して、例えば、コンデンサーレンズを画面縦方向に移動させるための調整部とコンデンサーレンズを画面横方向に移動させるための調整部とが同じ側に臨む構成とすれば、調整工具を同じ向きで使用することができ、調整の手間を低減できる。しかし、この場合には、調整機構が複雑化しやすい問題があった。
【０００６】
本発明の一つの態様は、上記問題点に鑑みて成されたものであって、調整機構が複雑化することを抑制しつつ、光学部材の光軸の位置を調整する手間を低減できる構造を有するプロジェクターを提供することを目的の一つとする。
【課題を解決するための手段】
【０００７】
本発明のプロジェクターの一つの態様は、光を射出する光源と、前記光源から射出された光が入射される光学部材と、前記光学部材を通過した光を変調する光変調装置と、前記光変調装置によって変調された光を投射する投射光学装置と、前記光学部材の光軸を調整する調整機構と、を備え、前記調整機構は、第１部材と、前記第１部材に対して前記光学部材の光軸に直交する第１方向に移動可能に取り付けられた第２部材と、前記光学部材を保持し、かつ、前記第２部材に対して前記光軸と平行な回転中心軸周りに回転可能に取り付けられた第３部材と、前記第１部材に対して前記第２部材を前記第１方向に移動させる第１調整部と、前記第２部材に対して前記第３部材を前記回転中心軸周りに回転させる第２調整部と、を有し、前記回転中心軸は、前記光軸に対して前記第１方向にずれており、前記第１調整部の操作部と前記第２調整部の操作部とは、同じ側に臨んでいることを特徴とする。
前記レンズは、前記光源から射出された光が入射され、入射された前記光の方向を調整するフィールドレンズである構成としてもよい。
本発明のプロジェクターの一つの態様は、光を射出する光源と、前記光源から射出された光が入射される光学部材と、前記光学部材を通過した光を変調する光変調装置と、前記光変調装置によって変調された光を投射する投射光学装置と、前記光学部材の光軸を調整する調整機構と、を備え、前記調整機構は、第１部材と、前記第１部材に対して前記光学部材の光軸に直交する第１方向に移動可能に取り付けられた第２部材と、前記光学部材を保持し、かつ、前記第２部材に対して前記光軸と平行な回転中心軸周りに回転可能に取り付けられた第３部材と、前記第１部材に対して前記第２部材を前記第１方向に移動させる第１調整部と、前記第２部材に対して前記第３部材を前記回転中心軸周りに回転させる第２調整部と、を有し、前記第１調整部の操作部と前記第２調整部の操作部とは、同じ側に臨んでいることを特徴とする。
【０００８】
本発明のプロジェクターの一つの態様によれば、第１調整部の操作部と第２調整部の操作部とが同じ側に臨んでいる。そのため、第１調整部の操作と第２調整部の操作とを、共に同じ側から行うことができる。これにより、光学部材の光軸の位置を調整することが容易である。
【０００９】
また、第３部材を回転中心軸周りに回転させることで、光学部材の光軸を第１方向と直交する第２方向に移動させることができる。そのため、例えば、第１方向に進退するネジ等によって、第１調整部と同じ側からの操作で、光学部材の光軸を容易に第２方向に移動させることができる。したがって、調整機構が複雑化することを抑制できる。
【００１０】
以上のように、本発明のプロジェクターの一つの態様によれば、光学部材の光軸の第１方向および第２方向の位置調整を同じ側から行うことが可能で、かつ、調整機構が複雑化することを抑制できる。したがって、調整機構が複雑化することを抑制しつつ、光学部材の光軸の位置を調整する手間を低減できる構造を有するプロジェクターが得られる。
【００１１】
前記光学部材は、レンズである構成としてもよい。
この構成によれば、調整機構によってレンズの位置を調整でき、レンズによって導かれる光の方向を調整できる。これにより、プロジェクターの光学系において精度よく光を導くことができ、光の利用効率を向上できる。
【００１２】
前記第１調整部は、頭部が前記第１調整部の操作部である第１ネジ部材を有し、前記第１部材と前記第２部材とのいずれか一方には、第１ネジ孔が形成され、前記第１部材と前記第２部材とのいずれか他方には、前記第１ネジ孔よりも前記第１ネジ部材の頭部側に第１貫通孔が形成され、前記第１ネジ部材は、前記第１方向に延びており、かつ、前記第１貫通孔に通されて前記第１ネジ孔に螺合されている構成としてもよい。
この構成によれば、簡易な構成によって、光学部材の光軸の位置を精度よく調整できる。
【００１３】
前記第１貫通孔は、前記第１部材に形成され、前記第１ネジ孔は、前記第２部材に形成され、前記第２部材は、第２部材本体と、前記第２部材本体に対して揺動可能に保持された揺動部材と、を有し、前記第１ネジ孔は、前記揺動部材に形成されている構成としてもよい。
この構成によれば、第１貫通孔の形成される位置と第１ネジ孔の形成される位置とにずれが生じた場合であっても、揺動部材によってずれを吸収することができ、第１ネジ部材が傾くことを抑制できる。特に、第１貫通孔の形成される位置と第１ネジ孔の形成される位置とが、第１方向に大きく離間している場合、第１貫通孔の形成される位置と第１ネジ孔の形成される位置とにずれが生じて第１ネジ部材が傾いた場合に、第１ネジ部材に加えられるモーメントが大きくなりやすい。そのため、揺動部材を用いる効果が大きい。
【００１４】
前記第２調整部は、頭部が前記第２調整部の操作部である第２ネジ部材を有し、前記第２部材と前記第３部材とのいずれか一方には、第２ネジ孔が形成され、前記第２部材と前記第３部材とのいずれか他方には、前記第２ネジ孔よりも前記第２ネジ部材の頭部側に第２貫通孔が形成され、前記第２ネジ孔および前記第２貫通孔は、前記光軸および前記第１方向の両方に直交する第２方向において、前記回転中心軸と異なる位置にあり、前記第２ネジ部材は、前記第１方向に延びており、かつ、前記第２貫通孔に通されて前記第２ネジ孔に螺合されている構成としてもよい。
この構成によれば、簡易な構成によって、光学部材の光軸の位置を精度よく調整できる。
【００１５】
前記第２ネジ孔は、前記第２部材に形成され、前記第２貫通孔は、前記第３部材に形成されている構成としてもよい。
この構成によれば、第２調整部を操作した場合に、第２ネジ孔が回転することがなく、第２調整部の操作をしやすい。
【００１６】
前記光学部材および前記調整機構を収容する筐体をさらに備え、前記筐体は、前記調整機構を介して前記光学部材が設置された設置部を有する筐体本体部を有し、前記筐体本体部は、底部と、前記底部の外縁から立ち上がった壁部と、を有し、前記第１調整部の操作部と前記第２調整部の操作部とは、前記底部と反対側に臨んでいる構成としてもよい。
この構成によれば、調整機構が筐体本体部の設置部に設置された状態において、第１調整部の操作および第２調整部の操作を行いやすい。
【００１７】
前記第１部材と前記第２部材と前記第３部材とは、前記光軸に平行な第３方向に沿って視て、重なり合って配置され、前記設置部は、前記第１部材と前記第２部材と前記第３部材とを前記第３方向に挟んで保持する挟持部を有する構成としてもよい。
この構成によれば、各部材同士の相対移動を可能としつつ、各部材同士の連結が外れることを抑制できる。
【００１８】
前記筐体は、前記壁部の前記底部と反対側の端部に取り付けられ前記底部を覆う蓋部をさらに有し、前記蓋部には、前記蓋部を貫通する調整孔が形成され、前記第１調整部の操作部および前記第２調整部の操作部は、前記調整孔を介して、前記筐体の外部から視認可能である構成としてもよい。
この構成によれば、蓋部を取り外すことなく、調整孔を介して、光学部材の光軸の位置を調整することができる。これにより、光学部材の光軸の位置を再調整する場合の手間をより低減できる。
【００１９】
前記筐体は、前記壁部の前記底部と反対側の端部に取り付けられ前記底部を覆う蓋部をさらに有し、前記蓋部は、前記調整機構と接触していない構成としてもよい。
この構成によれば、蓋部が筐体本体部に取り付けられた状態において、調整機構による光学部材の光軸調整をより行いやすい。
【図面の簡単な説明】
【００２０】
【図１】本実施形態のプロジェクターを示す概略構成図である。
【図２】本実施形態の色分離導光光学系を示す斜視図である。
【図３】本実施形態の色分離導光光学系の部分を示す斜視図である。
【図４】本実施形態の色分離導光光学系の部分を示す斜視図である。
【図５】本実施形態の調整機構を示す斜視図である。
【図６】本実施形態の調整機構を示す斜視図である。
【図７】本実施形態の調整機構を示す正面図である。
【図８】本実施形態の調整機構を示す分解斜視図である。
【図９】本実施形態の第２部材を示す斜視図である。
【図１０】本実施形態の第２部材を示す斜視図である。
【図１１】本実施形態の調整機構によるフィールドレンズの縦方向の位置調整について説明するための図である。
【図１２】本実施形態の調整機構によるフィールドレンズの横方向の位置調整について説明するための図である。
【発明を実施するための形態】
【００２１】
以下、図面を参照しながら、本発明の実施形態に係るプロジェクターについて説明する。なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２２】
図１は、本実施形態に係るプロジェクター１を示す概略構成図である。図１に示すプロジェクター１は、スクリーンＳＣＲ上にカラー映像を表示する投射型画像表示装置である。プロジェクター１は、図１に示すように、光源装置（光源）１００と、色分離導光光学系２と、赤色光、緑色光、青色光の各色光に対応した液晶光変調装置（光変調装置）４００Ｒ，４００Ｇ，４００Ｂと、クロスダイクロイックプリズム５００と、投射光学装置６００と、を備える。
【００２３】
光源装置１００は、色分離導光光学系２に向けて白色光Ｗを射出する。光源装置１００の構成は、光を射出できるならば、特に限定されない。
【００２４】
色分離導光光学系２は、ダイクロイックミラー９１，９２と、反射ミラー９３，９４，９５と、フィールドレンズ（光学部材）９０Ｒ，９０Ｇ，９０Ｂと、リレーレンズ９６と、を有する。色分離導光光学系２は、光源装置１００からの白色光Ｗを赤色光Ｒ、緑色光Ｇおよび青色光Ｂに分離し、赤色光Ｒ、緑色光Ｇおよび青色光Ｂをそれぞれが対応する液晶光変調装置４００Ｒ，４００Ｇ，４００Ｂに導光する。
色分離導光光学系２と、液晶光変調装置４００Ｒ，４００Ｇ，４００Ｂとの間には、フィールドレンズ３００Ｒ，３００Ｇ，３００Ｂが配置されている。
【００２５】
ダイクロイックミラー９１は、緑色光成分および赤色光成分を通過させ、青色光成分を反射させるダイクロイックミラーである。
ダイクロイックミラー９２は、赤色光成分を通過させ、緑色光成分を反射させるダイクロイックミラーである。
【００２６】
反射ミラー９３は、青色光成分を反射させる反射ミラーである。
反射ミラー９４，９５は、赤色光成分を反射させる反射ミラーである。
【００２７】
ダイクロイックミラー９１で反射された青色光Ｂは、フィールドレンズ９０Ｂを通過して反射ミラー９３で反射され、フィールドレンズ３００Ｂを通過して青色光用の液晶光変調装置４００Ｂの画像形成領域に入射する。
ダイクロイックミラー９１を透過した緑色光Ｇおよび赤色光Ｒは、フィールドレンズ９０Ｇを通過してダイクロイックミラー９２に入射する。
【００２８】
ダイクロイックミラー９２で反射された緑色光Ｇは、フィールドレンズ３００Ｇを通過して緑色光用の液晶光変調装置４００Ｇの画像形成領域に入射する。
ダイクロイックミラー９２を通過した赤色光Ｒは、リレーレンズ９６、入射側の反射ミラー９４、フィールドレンズ９０Ｒ、射出側の反射ミラー９５、フィールドレンズ３００Ｒを経て赤色光用の液晶光変調装置４００Ｒの画像形成領域に入射する。
【００２９】
各フィールドレンズには光源装置１００から射出された光が入射され、各フィールドレンズは、入射された光の方向を調整する。具体的には、フィールドレンズ９０Ｒ，３００Ｒは、液晶光変調装置４００Ｒに入射する赤色光Ｒの方向を調整する。フィールドレンズ９０Ｇ，３００Ｇは、液晶光変調装置４００Ｇに入射する緑色光Ｇの方向を調整する。フィールドレンズ９０Ｂ，３００Ｂは、液晶光変調装置４００Ｂに入射する青色光Ｂの方向を調整する。
【００３０】
液晶光変調装置４００Ｒ，４００Ｇ，４００Ｂは、色分離導光光学系２を介して入射された光源装置１００からの白色光Ｗを画像情報に応じて変調することにより画像光を形成する。すなわち、液晶光変調装置４００Ｒ，４００Ｇ，４００Ｂは、フィールドレンズ９０Ｒ，９０Ｇ，９０Ｂを通過した光を変調する。液晶光変調装置４００Ｒ，４００Ｇ，４００Ｂは、それぞれ入射された各色光に対応する画像光を形成する。なお、図示を省略したが、各フィールドレンズ３００Ｒ，３００Ｇ，３００Ｂと各液晶光変調装置４００Ｒ，４００Ｇ，４００Ｂとの間には、それぞれ入射側偏光板が配置され、各液晶光変調装置４００Ｒ，４００Ｇ，４００Ｂとクロスダイクロイックプリズム５００との間には、それぞれ射出側偏光板が配置される。
【００３１】
クロスダイクロイックプリズム５００は、各液晶光変調装置４００Ｒ，４００Ｇ，４００Ｂから射出された各画像光を合成してカラー画像を形成する光学素子である。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００３２】
クロスダイクロイックプリズム５００から射出されたカラー画像は、投射光学装置６００に入射される。投射光学装置６００は、入射されたカラー画像（画像光）、すなわち液晶光変調装置４００Ｒ，４００Ｇ，４００Ｂによって変調された光をスクリーンＳＣＲに向けて拡大投射する。これにより、スクリーンＳＣＲ上に画像が形成される。
【００３３】
図２から図４は、色分離導光光学系２を示す斜視図である。図３においては、蓋部３ｂの図示を省略している。図４においては、筐体本体部３ａのみを示している。
図２および図３に示すように、色分離導光光学系２は、筐体３を有する。筐体３は、ダイクロイックミラー９１，９２、反射ミラー９３，９４，９５、フィールドレンズ９０Ｒ，９０Ｇ，９０Ｂ、リレーレンズ９６、および後述する調整機構２０等を収容している。
【００３４】
図２に示すように、筐体３は、筐体本体部３ａと、蓋部３ｂと、を有する。図４に示すように、筐体本体部３ａは、底部４ａと、底部４ａの外縁から立ち上がった壁部４ｂと、を有する。
【００３５】
以下の説明においては、壁部４ｂが立ち上がる方向を鉛直方向とし、壁部４ｂに対して底部４ａ側を下側、底部４ａと反対側を上側として説明する。なお、壁部４ｂの立ち上がる方向は、鉛直方向に限定されるものではなく、「上側」、「下側」は、単に各部の位置関係を説明するための名称であって、実際の実施態様を限定しない。
【００３６】
筐体本体部３ａは、フィールドレンズ設置部（設置部）７２Ｒ，７２Ｇ，７２Ｂを有する。フィールドレンズ設置部７２Ｒは、フィールドレンズ９０Ｒが設置されている部分である。フィールドレンズ設置部７２Ｇは、フィールドレンズ９０Ｇが設置されている部分である。フィールドレンズ設置部７２Ｂは、フィールドレンズ９０Ｂが設置されている部分である。
【００３７】
本実施形態においてフィールドレンズ設置部７２Ｒ，７２Ｇ，７２Ｂの構成は、同様の構成であるため、以下の説明においては、代表してフィールドレンズ設置部７２Ｂについてのみ説明する場合がある。
【００３８】
図３に示すように、フィールドレンズ設置部７２Ｂには、調整機構２０を介してフィールドレンズ９０Ｂが設置されている。調整機構２０については、後段において詳述する。図４に示すように、フィールドレンズ設置部７２Ｂは、調整機構２０を挟んで保持する挟持部７３を有する。
【００３９】
挟持部７３は、底部４ａの近傍に設けられている。挟持部７３は、調整機構２０における後述する第１部材３０と第２部材４０と第３部材５０とをフィールドレンズ９０Ｂの光軸ＡＸと平行な方向（第３方向）に挟んで保持する。図４に示すように、挟持部７３は、例えば、筐体本体部３ａ内の光路を挟んで両側に設けられている。挟持部７３は、第１挟持壁部７３ａと、第２挟持壁部７３ｂと、を有する。
【００４０】
第１挟持壁部７３ａは、例えば、壁部４ｂの一部である。
第２挟持壁部７３ｂは、フィールドレンズ設置部７２Ｂに設置されるフィールドレンズ９０Ｂの光軸ＡＸの方向において、第１挟持壁部７３ａと隙間を介して対向している。第２挟持壁部７３ｂは、壁部４ｂから筐体３内の光路側に延びている。第２挟持壁部７３ｂの下端は、底部４ａと接続されている。
【００４１】
蓋部３ｂは、図２に示すように、壁部４ｂの底部４ａと反対側（上側）の端部に取り付けられている。蓋部３ｂは、底部４ａの上側を覆っている。蓋部３ｂは、調整機構２０の上部を覆う調整機構カバー部７０Ｒ，７０Ｇ，７０Ｂを有する。
【００４２】
調整機構カバー部７０Ｒは、フィールドレンズ９０Ｒを保持する調整機構２０の上部を覆っている。調整機構カバー部７０Ｇは、フィールドレンズ９０Ｇを保持する調整機構２０の上部を覆っている。調整機構カバー部７０Ｂは、フィールドレンズ９０Ｂを保持する調整機構２０の上部を覆っている。
【００４３】
本実施形態において調整機構カバー部７０Ｒ，７０Ｇ，７０Ｂの構成は、同様の構成であるため、以下の説明においては、代表して調整機構カバー部７０Ｂについてのみ説明する場合がある。
【００４４】
調整機構カバー部７０Ｂには、第１調整孔（調整孔）７１ａと、第２調整孔（調整孔）７１ｂと、レンズ位置固定孔７１ｃと、が形成されている。
第１調整孔７１ａと第２調整孔７１ｂとは、蓋部３ｂを鉛直方向に貫通している。第１調整孔７１ａの平面視形状および第２調整孔７１ｂの平面視形状は、例えば、円形状である。
レンズ位置固定孔７１ｃは、蓋部３ｂをフィールドレンズ９０Ｂの光軸ＡＸと平行な方向に貫通している。
【００４５】
次に、調整機構２０について説明する。調整機構２０は、フィールドレンズ９０Ｒ，９０Ｇ，９０Ｂごとに設けられている。各調整機構２０は、フィールドレンズ９０Ｒ，９０Ｇ，９０Ｂをそれぞれ保持し、筐体本体部３ａのフィールドレンズ設置部７２Ｒ，７２Ｇ，７２Ｂにそれぞれ設置されている。調整機構２０は、フィールドレンズ９０Ｒ，９０Ｇ，９０Ｂの光軸を調整する機構である。本実施形態において調整機構２０に保持されるフィールドレンズ９０Ｒ，９０Ｇ，９０Ｂの光軸に沿って視た形状は、正方形の四隅を角面取りした形状とほぼ同じ形状である。
【００４６】
なお、フィールドレンズ９０Ｒ，９０Ｇ，９０Ｂごとに設けられる調整機構２０の構成は、互いにほぼ同様の構成であるため、以下の説明においては、代表してフィールドレンズ９０Ｂを保持する調整機構２０についてのみ説明する場合がある。
【００４７】
図５は、調整機構２０を、フィールドレンズ９０Ｂに光が入射する側から斜めに視た斜視図である。図６は、調整機構２０を、フィールドレンズ９０Ｂから光が射出される側から斜めに視た斜視図である。図７は、調整機構２０を、フィールドレンズ９０Ｂに光が入射する側から射出される側に向かって視た図（以下、正面図と呼ぶ）である。図８は、調整機構２０を示す分解斜視図である。
【００４８】
以下における調整機構２０の各部の位置関係の説明においては、各図に適宜３次元直交座標系（ＸＹＺ座標系）を示して説明する。Ｚ軸方向は、壁部４ｂが立ちあがる方向（本実施形態においては、例えば、鉛直方向）と平行な方向とする。Ｘ軸方向は、Ｚ軸方向と直交し、フィールドレンズ９０Ｂの光軸ＡＸと平行な方向とする。Ｙ軸方向は、Ｚ軸方向およびＸ軸方向の両方と直交する方向とする。
【００４９】
また、以下の説明においては、Ｚ軸方向を単に「縦方向（第１方向）」と呼ぶ場合があり、Ｘ軸方向を単に「光軸方向（第３方向）」と呼ぶ場合があり、Ｙ軸方向を単に「横方向（第２方向）」と呼ぶ場合がある。縦方向の正の側（＋Ｚ側）を「上側」と呼ぶ場合があり、縦方向の負の側（−Ｚ側）を「下側」と呼ぶ場合がある。光軸方向の正の側（＋Ｘ側）を「前側」と呼ぶ場合があり、光軸方向の負の側（−Ｘ側）を「後側」と呼ぶ場合がある。光軸方向の「前側」とは、フィールドレンズ９０Ｂに光が入射する側である。光軸方向の「後側」とは、フィールドレンズ９０Ｂから光が射出する側である。横方向の正の側（＋Ｙ側）を「右側」と呼ぶ場合があり、横方向の負の側（−Ｙ側）を「左側」と呼ぶ場合がある。「前側」、「後側」、「右側」、「左側」は、単に各部の位置関係を説明するための名称であって、実際の実施態様を限定しない。
【００５０】
調整機構２０は、図５から図８に示すように、第１部材３０と、第２部材４０と、第３部材５０と、第１調整部６０ａと、第２調整部６０ｂと、固定ネジ６７と、を有する。
【００５１】
第１部材３０は、筐体本体部３ａに固定される部材である。第１部材３０は、光軸ＡＸと直交する平面（ＹＺ平面）に沿って拡がる板状である。本実施形態において第１部材３０は、例えば、板金加工によって製造される単一の部材である。図６および図８に示すように、第１部材３０は、第１枠状部３１と、第１延出部３２と、固定部３３，３４と、押え部３５と、を有する。
【００５２】
第１枠状部３１は、光軸ＡＸと直交する平面（ＹＺ平面）に沿って拡がる板状である。第１枠状部３１は、中央に第１枠状部３１を光軸方向（Ｘ軸方向）に貫通する第１光通過孔３１ａが形成された枠状である。第１光通過孔３１ａの前側（＋Ｘ側）から後側（−Ｘ側）に向かって視た（以下、正面視と呼ぶ）形状は、多角形状である。第１光通過孔３１ａは、フィールドレンズ９０Ｂよりもやや大きい。第１枠状部３１の正面視における外形は、略矩形状である。
【００５３】
第１枠状部３１には、第１枠状部３１を光軸方向（Ｘ軸方向）に貫通するガイド孔３１ｂ，３１ｃが形成されている。ガイド孔３１ｂ，３１ｃは、縦方向（Ｚ軸方向）に延びた長孔である。ガイド孔３１ｂは第１枠状部３１の下部における左側（−Ｙ側）の端部近傍に形成されている。ガイド孔３１ｃは、第１枠状部３１の上部における左側中央寄りの位置に形成されている。
【００５４】
第１枠状部３１には、第１枠状部３１を光軸方向（Ｘ軸方向）に貫通する固定ネジ孔３１ｄが形成されている。固定ネジ孔３１ｄの内側面には雌ネジが形成されている。固定ネジ孔３１ｄの正面視形状は、円形状である。固定ネジ孔３１ｄは、第１枠状部３１の上部における右側（＋Ｙ側）寄りの位置に形成されている。
【００５５】
第１延出部３２は、第１枠状部３１の上側の端部における横方向（Ｙ軸方向）のほぼ中央から前側（＋Ｘ側）に延びている。第１延出部３２は、縦方向（Ｚ軸方向）と直交する平面（ＸＹ平面）に沿って拡がる板状である。図５に示すように、第１延出部３２の前側の端部は、後述する第２枠状部４１および第３枠状部５１よりも前側に位置している。第１延出部３２の平面視形状は、例えば、横方向に長い長方形状である。
【００５６】
図８に示すように、第１延出部３２には、第１延出部３２を縦方向（Ｚ軸方向）に貫通する第１貫通孔３２ａが形成されている。第１貫通孔３２ａは、第１延出部３２の前側（＋Ｘ側）の端部近傍に形成されている。第１貫通孔３２ａの平面視形状は、例えば、円形状である。第１貫通孔３２ａは、後述する第１ネジ孔４７ｃよりも上側に形成されている。図７に示すように、第１貫通孔３２ａの中心の横方向位置は、例えば、フィールドレンズ９０Ｂの光軸ＡＸの横方向位置と同じである。
【００５７】
固定部３３，３４は、図６に示すように、第１枠状部３１から後側（−Ｘ側）に突出している。固定部３３，３４には、それぞれネジ６６が通される孔が形成されている。ネジ６６は、固定部３３，３４に形成された孔を介して、筐体本体部３ａに形成された図示しないネジ孔に螺合されている。これにより、第１部材３０は、筐体本体部３ａに固定されている。
【００５８】
第１部材３０には、第１枠状部３１および第１延出部３２に跨って、孔３０ａが形成されている。孔３０ａは、第１枠状部３１の上側の端部における横方向（Ｙ軸方向）の中央を光軸方向（Ｘ軸方向）に貫通し、上側に開口している。孔３０ａは、第１延出部３２の後側（−Ｘ側）の端部における横方向のほぼ中央を縦方向（Ｚ軸方向）に貫通し、後側に開口している。
【００５９】
押え部３５は、孔３０ａの内縁のうち前側（＋Ｘ側）の内縁から下側に延びている。図５および図７に示すように、押え部３５は、縦方向（Ｚ軸方向）に長い長方形の板状である。押え部３５は、後述する第２枠状部４１および第３枠状部５１よりも前側に位置しており、正面視において第２枠状部４１の一部および第３枠状部５１の一部と光軸方向（Ｘ軸方向）に重なっている。
【００６０】
第２部材４０は、第１部材３０に対して光軸ＡＸに直交する縦方向（Ｚ軸方向）に移動可能に取り付けられた部材である。第２部材４０は、第１部材３０における第１枠状部３１の前側（＋Ｘ側）に配置されている。
【００６１】
図９は、第２部材４０を前側（＋Ｘ側）から斜めに視た斜視図である。図１０は、第２部材４０を後側（−Ｘ側）から斜めに視た斜視図である。図９においては、板ナット４７を下側に離して示している。
【００６２】
図９および図１０に示すように、第２部材４０は、第２枠状部４１と、回転軸部４２ａと、係合部４２ｂ，４２ｃと、第２延出部４３と、板ナット（揺動部材）４７と、を有する。
【００６３】
第２枠状部４１は、光軸ＡＸと直交する平面（ＹＺ平面）に沿って拡がる板状である。第２枠状部４１は、中央に第２枠状部４１を光軸方向（Ｘ軸方向）に貫通する第２光通過孔４１ａが形成された枠状である。第２光通過孔４１ａの正面視形状は、多角形状である。第２光通過孔４１ａは、フィールドレンズ９０Ｂよりもやや大きい。第２枠状部４１の正面視における外形は、略矩形状である。
【００６４】
第２枠状部４１には、第２枠状部４１を光軸方向（Ｘ軸方向）に貫通する固定孔４１ｂが形成されている。固定孔４１ｂは、縦方向（Ｚ軸方向）に延びた長孔である。固定孔４１ｂは、第２枠状部４１の上部における右側（＋Ｙ側）寄りに形成されている。固定孔４１ｂは、正面視において、第１部材３０の固定ネジ孔３１ｄと重なっている。
【００６５】
回転軸部４２ａは、図９に示すように、第２枠状部４１の前側（＋Ｘ側）の面から前側に突出する円柱状の部分である。回転軸部４２ａは、第２枠状部４１の上部に位置している。回転軸部４２ａの横方向（Ｙ軸方向）の位置は、第２枠状部４１の横方向の中央である。回転軸部４２ａの中心を通る回転中心軸Ｊ１は、フィールドレンズ９０Ｂの光軸ＡＸと平行である。図７に示すように、回転中心軸Ｊ１の横方向位置は、光軸ＡＸの横方向位置と同じである。回転中心軸Ｊ１は、光軸ＡＸよりも上側に位置している。
【００６６】
本実施形態において回転軸部４２ａは、例えば、第２枠状部４１と別部材である。例えば、回転軸部４２ａは外径が小さくなる小径部を後側（−Ｘ側）に有しており、この小径部が第２枠状部４１に形成された孔に前側（＋Ｘ側）から圧入等されて固定されることで、回転軸部４２ａが第２枠状部４１に固定されている。
【００６７】
係合部４２ｂ，４２ｃは、図１０に示すように、第２枠状部４１の後側（−Ｘ側）の面から後側に突出する円柱状の部分である。係合部４２ｂは、第２枠状部４１の下部における左側（−Ｙ側）の端部近傍に設けられている。係合部４２ｃは、第２枠状部４１の上部における左側中央寄りの位置に設けられている。
【００６８】
図６に示すように、係合部４２ｂは、第１部材３０のガイド孔３１ｂ内に挿入され、ガイド孔３１ｂの内側面に係合されている。係合部４２ｂは、ガイド孔３１ｂに沿って縦方向（Ｚ軸方向）に移動可能である。係合部４２ｂの横方向（Ｙ軸方向）両端は、ガイド孔３１ｂの内側面と摺接しており、係合部４２ｂのガイド孔３１ｂに対する横方向の移動は、規制されている。
【００６９】
係合部４２ｃは、第１部材３０のガイド孔３１ｃ内に挿入され、ガイド孔３１ｃの内側面に係合されている。係合部４２ｃは、ガイド孔３１ｃに沿って縦方向（Ｚ軸方向）に移動可能である。係合部４２ｃの横方向（Ｙ軸方向）両端は、ガイド孔３１ｃの内側面と摺接しており、係合部４２ｃのガイド孔３１ｃに対する横方向の移動は、規制されている。
【００７０】
係合部４２ｂ，４２ｃが、上述したようにガイド孔３１ｂ，３１ｃの内側面に係合していることで、第２部材４０が第１部材３０に対して縦方向に移動可能に取り付けられている。また、上下の２箇所で、係合部４２ｂ，４２ｃのガイド孔３１ｂ，３１ｃに対する横方向（Ｙ軸方向）の移動が規制されているため、第２部材４０の第１部材３０に対する回転および横方向の移動が規制されている。
【００７１】
本実施形態において係合部４２ｂ，４２ｃは、例えば、第２枠状部４１と別部材である。例えば、係合部４２ｂ，４２ｃは外径が小さくなる小径部を前側（＋Ｘ側）に有しており、この小径部が第２枠状部４１に形成された孔に後側（−Ｘ側）から圧入等されて固定されることで、係合部４２ｂ，４２ｃが第２枠状部４１に固定されている。
【００７２】
第２延出部４３は、図９に示すように、第２枠状部４１よりも前側（＋Ｘ側）に突出して設けられている。第２延出部４３は、接続部４４と、第２延出部本体４５と、板ナット保持部４６と、を有する。
【００７３】
接続部４４は、第２枠状部４１から前側（＋Ｘ側）に延びた第１接続部４４ａと、第１接続部４４ａの前側の端部から下側に延びた第２接続部４４ｂと、を有する。第１接続部４４ａは、第２光通過孔４１ａの内縁のうち上側の内縁に接続されている。接続部４４は、回転軸部４２ａの横方向（Ｙ軸方向）両側にそれぞれ設けられている。
【００７４】
第２延出部本体４５は、２つの第２接続部４４ｂの下側の端部に接続されている。第２延出部本体４５は、縦方向と直交する平面（ＸＹ平面）に沿って拡がる板状である。第２延出部本体４５の平面視形状は、横方向（Ｙ軸方向）に長い略長方形状である。
【００７５】
図５に示すように、第２延出部本体４５は、第３部材５０の後述する第３枠状部５１よりも前側（＋Ｘ側）に位置している。第２延出部本体４５は、第１延出部３２よりも下側に位置している。第２延出部本体４５のうち第２部材４０の横方向（Ｙ軸方向）の中央に位置する部分の上面は、第１延出部３２の下面と隙間を介して縦方向（Ｚ軸方向）に対向している。
【００７６】
図９に示すように、第２延出部本体４５には、第２延出部本体４５を縦方向（Ｚ軸方向）に貫通する第２ネジ孔４５ａが形成されている。第２ネジ孔４５ａの内側面には、雌ネジが形成されている。第２ネジ孔４５ａは、第２延出部本体４５の左側（−Ｙ側）の端部に形成されている。第２ネジ孔４５ａは、光軸ＡＸおよび縦方向の両方に直交する横方向（Ｙ軸方向）において、回転中心軸Ｊ１と異なる位置にある。
【００７７】
第２延出部本体４５には、第２延出部本体４５を縦方向（Ｚ軸方向）に貫通する挿通孔４５ｂが形成されている。挿通孔４５ｂの平面視形状は、例えば、円形状である。本実施形態において挿通孔４５ｂの中心の横方向（Ｙ軸方向）位置は、例えば、回転中心軸Ｊ１の横方向位置と同じである。
【００７８】
第２延出部本体４５の上面には、凹部４５ｃ，４５ｄが形成されている。凹部４５ｃ，４５ｄは、第２延出部本体４５の上面から下側に窪んでいる。凹部４５ｃは、第２ネジ孔４５ａの内縁から、第２ネジ孔４５ａの径方向外側に拡がる円環状である。凹部４５ｄは、挿通孔４５ｂの内縁から、挿通孔４５ｂの径方向外側に拡がる円環状である。
【００７９】
板ナット保持部４６は、第２延出部本体４５の前側（＋Ｘ側）の端部から下側に延びている。板ナット保持部４６は、光軸ＡＸと直交する平面（ＹＺ平面）に沿って拡がる板状である。図７に示すように、板ナット保持部４６の正面視形状は、例えば、横方向（Ｙ軸方向）に長い長方形状である。板ナット保持部４６は、第２部材４０の横方向の中央に位置している。板ナット保持部４６の横方向の中心は、横方向において、回転中心軸Ｊ１と同じ位置にある。板ナット保持部４６の下側の端部は、フィールドレンズ９０Ｂよりも上側に位置している。
【００８０】
図９に示すように、板ナット保持部４６には、板ナット保持部４６を光軸方向（Ｘ軸方向）に貫通する保持孔４６ａが２つ形成されている。２つの保持孔４６ａは、板ナット保持部４６の横方向（Ｙ軸方向）の中心を挟んで両側に形成されている。保持孔４６ａは、板ナット保持部４６の上部に形成され、上側に開口している。
【００８１】
本実施形態において、第２枠状部４１と第２延出部４３とは、単一の部材として一体に製造されており、例えば、板金加工で製造される。本実施形態においては、第２枠状部４１と第２延出部４３とを含む単一の部材が、第２部材本体に相当する。
【００８２】
板ナット４７は、単一の板状部材であり、上記第２部材本体と別部材である。板ナット４７は、縦方向に対して弾性変形可能である。板ナット４７は、板ナット本体部４７ａと、係合突起４７ｂと、を有する。
【００８３】
板ナット本体部４７ａは、縦方向と直交する平面（ＸＹ平面）に沿って拡がる矩形の板状である。板ナット本体部４７ａには、板ナット本体部４７ａを縦方向（Ｚ軸方向）に貫通する第１ネジ孔４７ｃが形成されている。第１ネジ孔４７ｃの内側面には雌ネジが形成されている。第１ネジ孔４７ｃは、板ナット本体部４７ａのほぼ中央に形成されている。第１貫通孔３２ａと挿通孔４５ｂと第１ネジ孔４７ｃとは、平面視において重なっている。
【００８４】
係合突起４７ｂは、板ナット本体部４７ａの前側（＋Ｘ側）の端部から前側に突出している。係合突起４７ｂは、板ナット本体部４７ａの前側の端部の横方向（Ｙ軸方向）両端にそれぞれ設けられている。図５に示すように、２つの係合突起４７ｂは、板ナット保持部４６の保持孔４６ａ内に後側（−Ｘ側）からそれぞれ挿入され、保持孔４６ａの内側面に係合されている。これにより、第２延出部４３に対して板ナット４７が係合されている。
【００８５】
板ナット４７は、第２部材本体の一部である第２延出部４３（板ナット保持部４６）に対して揺動可能に保持されている。具体的には、係合突起４７ｂと保持孔４６ａの内側面との横方向（Ｙ軸方向）の間には隙間が設けられており、板ナット４７は、その隙間の分だけ横方向に移動可能となっている。また、光軸方向（Ｘ軸方向）については、係合突起４７ｂの少なくとも一部が保持孔４６ａ内に挿入されている範囲内で移動可能となっている。このように、板ナット４７は、縦方向に直交する平面（ＸＹ平面）内において、第２延出部４３に対して揺動可能である。
【００８６】
第３部材５０は、第２部材４０に対して光軸ＡＸと平行な回転中心軸Ｊ１周り（±θｘ方向）に回転可能に取り付けられた部材である。第３部材５０は、第２部材４０における第２枠状部４１の前側（＋Ｘ側）に配置されている。図５および図８に示すように、第３部材５０は、第３枠状部５１と、第３延出部５２と、リブ５４ａ，５４ｂ，５４ｃ，５４ｄと、レンズ係合部５５と、押圧部材５３と、を有する。
【００８７】
第３枠状部５１は、光軸ＡＸと直交する平面（ＹＺ平面）に沿って拡がる板状である。第３枠状部５１は、中央に第３枠状部５１を光軸方向（Ｘ軸方向）に貫通する第３光通過孔５１ａが形成された枠状である。第３光通過孔５１ａの正面視形状は、正方形の四隅を角面取りした形状とほぼ同じ形状である。すなわち、第３光通過孔５１ａの正面視形状は、フィールドレンズ９０Ｂの正面視形状とほぼ同じである。第３光通過孔５１ａは、フィールドレンズ９０Ｂよりもやや大きい。第３枠状部５１の正面視における外形は、略矩形状である。
【００８８】
第３枠状部５１には、第３枠状部５１を光軸方向（Ｘ軸方向）に貫通する固定孔５１ｂが形成されている。固定孔５１ｂは、縦方向（Ｚ軸方向）に延びた長孔である。固定孔５１ｂは、第３枠状部５１の上部における右側（＋Ｙ側）寄りに形成されている。
【００８９】
図５に示すように、第１枠状部３１と第２枠状部４１と第３枠状部５１とは、正面視において、後側（−Ｘ側）から前側（＋Ｘ側）に向かってこの順に重なり合って配置されている。すなわち、第１部材３０と第２部材４０と第３部材５０とは、光軸ＡＸに平行な光軸方向（Ｘ軸方向）に沿って視て、重なり合って配置されている。
【００９０】
図７および図８に示すように、第３枠状部５１には、第３枠状部５１の上側の端縁から下側に窪む挿通凹部５１ｃが形成されている。挿通凹部５１ｃは、第３枠状部５１の横方向（Ｙ軸方向）の中心を挟んで、横方向両側に形成されている。挿通凹部５１ｃの正面視形状は、例えば、略矩形状である。
【００９１】
挿通凹部５１ｃには、第２部材４０における第２延出部４３の接続部４４が後側（−Ｘ側）から前側（＋Ｘ側）に通されている。これにより、第２延出部４３の第２延出部本体４５が、第３部材５０の第３枠状部５１よりも前側に位置している。
【００９２】
第３枠状部５１における挿通凹部５１ｃ同士の横方向（Ｙ軸方向）の間には、突出板部５７が設けられている。突出板部５７は、上側に向かって突出している。突出板部５７の正面視形状は、例えば、略矩形状である。
【００９３】
図８に示すように、突出板部５７には、突出板部５７を光軸方向（Ｘ軸方向）に貫通する嵌合孔５７ａが形成されている。嵌合孔５７ａの正面視形状は、円形状である。図５に示すように、嵌合孔５７ａの内側には、第２部材４０の回転軸部４２ａが嵌められている。これにより、第３部材５０は、第２部材４０に対して、回転軸部４２ａの回転中心軸Ｊ１周り（θｘ方向）に回転可能に取り付けられている。
【００９４】
第３延出部５２は、第３枠状部５１の上側の端部における左側（−Ｙ側）の端部から前側（＋Ｘ側）に延びている。第３延出部５２は、縦方向と直交する平面（ＸＹ平面）に沿って拡がる板状である。第３延出部５２の平面視形状は、例えば、略矩形状である。
【００９５】
第３延出部５２は、第２延出部本体４５よりも上側に位置している。第３延出部５２の下面は、第２延出部本体４５の左側（−Ｙ側）の端部における上面と隙間を介して縦方向（Ｚ軸方向）に対向している。図７に示すように、第３延出部５２は、第１延出部３２よりも下側に位置しており、第１延出部３２よりも左側に位置している。
【００９６】
図８に示すように、第３延出部５２には、第３延出部５２を縦方向（Ｚ軸方向）に貫通する第２貫通孔５２ａが形成されている。第２貫通孔５２ａは、第３延出部５２の前側（＋Ｘ側）の端部近傍に形成されている。第２貫通孔５２ａの平面視形状は、例えば、円形状である。図７に示すように、第２貫通孔５２ａは、第２ネジ孔４５ａよりも上側に形成されている。第２貫通孔５２ａは、横方向（Ｙ軸方向）において、回転中心軸Ｊ１と異なる位置にある。第２貫通孔５２ａと第２ネジ孔４５ａとは、平面視において重なっている。
【００９７】
リブ５４ａ，５４ｂ，５４ｃ，５４ｄは、第３枠状部５１の第３光通過孔５１ａの内縁から前側（＋Ｘ側）に突出している。リブ５４ａは、第３光通過孔５１ａの下側の内縁に設けられている。リブ５４ｂは、第３光通過孔５１ａの左側（−Ｙ側）の内縁に設けられている。リブ５４ｃは、第３光通過孔５１ａの右側（＋Ｙ側）の内縁に設けられている。リブ５４ｄは、第３光通過孔５１ａの上側の内縁に設けられている。
【００９８】
リブ５４ａおよびリブ５４ｄは、横方向（Ｙ軸方向）に延びている。リブ５４ｂおよびリブ５４ｃは、縦方向（Ｚ軸方向）に延びている。リブ５４ａおよびリブ５４ｂは、フィールドレンズ９０Ｂの外縁と接触している。リブ５４ｃおよびリブ５４ｄは、フィールドレンズ９０Ｂと隙間を空けて配置されている。
【００９９】
レンズ係合部５５は、図５に示すように、フィールドレンズ９０Ｂに係合している部分である。レンズ係合部５５は、第３光通過孔５１ａの下側の内縁の左側（−Ｙ側）の角部に設けられている。レンズ係合部５５は、突出部５５ａと、係合部本体５５ｂと、を有する。
【０１００】
突出部５５ａは、第３光通過孔５１ａの内縁から前側（＋Ｘ側）に突出している。係合部本体５５ｂは、突出部５５ａの前側の端部に接続されている。係合部本体５５ｂは、突出部５５ａから上方斜め右側（＋Ｙ側）に延びている。係合部本体５５ｂは、前側からフィールドレンズ９０Ｂの前側の面と接触している。これにより、レンズ係合部５５は、フィールドレンズ９０Ｂに係合している。
【０１０１】
第３枠状部５１と第３延出部５２とリブ５４ａ，５４ｂ，５４ｃ，５４ｄとレンズ係合部５５とは、単一の部材として一体に製造されている。第３枠状部５１と第３延出部５２とリブ５４ａ，５４ｂ，５４ｃ，５４ｄとレンズ係合部５５とを含む単一の部材は、例えば、板金加工によって製造される。
【０１０２】
押圧部材５３は、図５および図８に示すように、ネジ５６によって第３枠状部５１の前側（＋Ｘ側）の面に固定されている。押圧部材５３は、第３枠状部５１の上部における右側（＋Ｙ側）の角部に固定されている。すなわち、押圧部材５３とレンズ係合部５５とは、レンズ係合部５５を通る第３枠状部５１の対角線上に、第３光通過孔５１ａを挟んで互いに反対側に配置されている。
【０１０３】
図５に示すように、押圧部材５３は、固定板部５３ａと、抜け止め部５３ｂと、板バネ部５３ｃと、を有する。固定板部５３ａは、ネジ５６によって第３枠状部５１の前側の面に固定されている。抜け止め部５３ｂは、固定板部５３ａから下方斜め左側（−Ｙ側）に延びている。抜け止め部５３ｂは、正面視において抜け止め部５３ｂが延びる方向と直交する方向に間隔を空けて一対設けられている。図７に示すように、抜け止め部５３ｂの先端は、フィールドレンズ９０Ｂの前側（＋Ｘ側）に位置している。抜け止め部５３ｂの先端は、正面視において、フィールドレンズ９０Ｂと重なっている。抜け止め部５３ｂは、フィールドレンズ９０Ｂの前側の面と隙間を介して対向している。
【０１０４】
板バネ部５３ｃは、弾性変形可能な部分である。図５に示すように、板バネ部５３ｃは、固定板部５３ａのフィールドレンズ９０Ｂ側の端部に接続されている。板バネ部５３ｃは、固定板部５３ａから後側（−Ｘ側）に延び、先端が前側（＋Ｘ側）に折り返されている。板バネ部５３ｃの先端は、後側からフィールドレンズ９０Ｂの後側の面と接触している。板バネ部５３ｃは、後側から前側に向かってフィールドレンズ９０Ｂに力を加えており、かつ、下方斜め左側（−Ｙ側）に向かって、すなわち押圧部材５３からレンズ係合部５５に向かって、フィールドレンズ９０Ｂに力を加えている。
【０１０５】
フィールドレンズ９０Ｂは、押圧部材５３の板バネ部５３ｃによって後側（−Ｘ側）から前側（＋Ｘ側）に押されており、フィールドレンズ９０Ｂの前側（＋Ｘ側）の面には、レンズ係合部５５の係合部本体５５ｂが係合されている。これにより、フィールドレンズ９０Ｂは、第３部材５０に対して光軸方向（Ｘ軸方向）に位置決めされて保持されている。
【０１０６】
フィールドレンズ９０Ｂは、押圧部材５３の板バネ部５３ｃによってレンズ係合部５５に向けて押されている。これにより、フィールドレンズ９０Ｂの外縁は、レンズ係合部５５の突出部５５ａ、リブ５４ａおよびリブ５４ｂに押し当てられている。したがって、フィールドレンズ９０Ｂは、第３部材５０に対して横方向（Ｙ軸方向）および縦方向（Ｚ軸方向）に位置決めされて保持されている。
【０１０７】
このようにして、第３部材５０は、光軸方向（Ｘ軸方向）、横方向（Ｙ軸方向）および縦方向（Ｚ軸方向）において、第３部材５０に対して位置決めされた状態で、フィールドレンズ９０Ｂを保持している。フィールドレンズ９０Ｂが第３部材５０に保持された状態において、フィールドレンズ９０Ｂの光軸ＡＸは、第１枠状部３１の第１光通過孔３１ａと、第２枠状部４１の第２光通過孔４１ａと、第３枠状部５１の第３光通過孔５１ａと、を通る。これにより、調整機構２０に保持されたフィールドレンズ９０Ｂを、光が光軸方向（Ｘ軸方向）に通過可能である。
【０１０８】
第１調整部６０ａは、図８に示すように、第１ネジ部材６１と、第１バネ６３と、を有する。
第１ネジ部材６１は、縦方向（Ｚ軸方向）に延びている。第１ネジ部材６１の頭部である第１頭部６１ａは、第１ネジ部材６１の上側の端部である。第１頭部６１ａは、第１調整部６０ａの操作部である。第１頭部６１ａは、上側に臨んでいる。より詳細には、第１頭部６１ａの頭部穴は、上側に臨んでいる。第１頭部６１ａの頭部穴は、例えば、六角穴である。
【０１０９】
第１ネジ部材６１は、図５および図７に示すように、第１部材３０における第１延出部３２の第１貫通孔３２ａに上側から通され、第２部材４０における第２延出部本体４５の挿通孔４５ｂを介して、板ナット４７の第１ネジ孔４７ｃに螺合されている。第１頭部６１ａは、第１貫通孔３２ａよりも上側に位置している。第１頭部６１ａの下面は、第１延出部３２の上面と接触している。このように、第１貫通孔３２ａは、第１ネジ孔４７ｃよりも第１頭部６１ａ側に形成されている。
【０１１０】
第１ネジ部材６１の外径は、第１貫通孔３２ａの内径および挿通孔４５ｂの内径よりも小さい。第１ネジ部材６１の外側面と第１貫通孔３２ａの内側面との間には、隙間が設けられている。第１ネジ部材６１の外側面と挿通孔４５ｂの内側面との間には、隙間が設けられている。
【０１１１】
第１バネ６３は、縦方向（Ｚ軸方向）に延びた圧縮コイルバネである。第１バネ６３の内側には、第１ネジ部材６１が通されている。第１バネ６３は、第１部材３０の第１延出部３２と第２部材４０の第２延出部本体４５との縦方向の間に配置されている。第１バネ６３の上側の端部は、第１延出部３２の下面と接触している。第１バネ６３の下側の端部は、第２延出部本体４５の上面と接触している。より詳細には、図５に示すように、第１バネ６３の下側の端部は、第２延出部本体４５に形成された凹部４５ｄ内に配置され、凹部４５ｄの底面と接触している。
【０１１２】
第１バネ６３は、第１延出部３２を介して第１部材３０に上向きの力を加えている。第１バネ６３は、第２延出部本体４５を介して第２部材４０に下向きの力を加えている。これにより、第１バネ６３は、第１部材３０と第２部材４０とに対して、第１部材３０と第２部材４０とを縦方向（Ｚ軸方向）に互いに離す向きに力を加えている。結果として、第１バネ６３によって、第１延出部３２の上面が第１頭部６１ａの下面に押し当てられている。
【０１１３】
第２調整部６０ｂは、図８に示すように、第２ネジ部材６２と、第２バネ６４と、ワッシャー６５と、を有する。
第２ネジ部材６２は、縦方向（Ｚ軸方向）に延びている。第２ネジ部材６２の頭部である第２頭部６２ａは、第２ネジ部材６２の上側の端部である。第２頭部６２ａは、第２調整部６０ｂの操作部である。第２頭部６２ａは、上側に臨んでいる。より詳細には、第２頭部６２ａの頭部穴は、上側に臨んでいる。第２頭部６２ａの頭部穴は、例えば、六角穴である。
【０１１４】
このように、第１調整部６０ａの操作部である第１頭部６１ａと第２調整部６０ｂの操作部である第２頭部６２ａとは、同じ側に臨んでいる。図３に示すように、本実施形態においては、第１頭部６１ａと第２頭部６２ａとは、底部４ａと反対側（上側）に臨んでいる。
【０１１５】
なお、本明細書において「第１調整部の操作部と第２調整部の操作部とが同じ側に臨んでいる」とは、第１調整部の操作部と第２調整部の操作部とを調整機構に対する同じ側から操作できることを含む。すなわち、各操作部を調整機構に対する同じ側から操作できるならば、第１調整部の操作部の向く向きと第２調整部の操作部との向く向きが厳密に同じでなくてもよい。具体的には、例えば、第１頭部６１ａの向く向きと、第２頭部６２ａの向く向きとは、略同じであればよく、例えば、第１頭部６１ａの向く向きに対して、第２頭部６２ａの向く向きがわずかに傾いていてもよい。
【０１１６】
図２に示すように、第１調整部６０ａの操作部である第１頭部６１ａ（第１頭部６１ａの頭部穴）は、第１調整孔７１ａを介して、筐体３の外部から視認可能である。第１頭部６１ａは、平面視において、第１調整孔７１ａの内側に位置している。
第２調整部６０ｂの操作部である第２頭部６２ａ（第２頭部６２ａの頭部穴）は、第２調整孔７１ｂを介して、筐体３の外部から視認可能である。第２頭部６２ａは、平面視において、第２調整孔７１ｂの内側に位置している。
【０１１７】
第２ネジ部材６２は、図５および図７に示すように、第３部材５０における第３延出部５２の第２貫通孔５２ａに上側から通され、第２部材４０における第２延出部本体４５の第２ネジ孔４５ａに螺合されている。第２頭部６２ａは、第２貫通孔５２ａよりも上側に位置している。第２頭部６２ａの下面は、第３延出部５２の上面と接触している。このように、第２貫通孔５２ａは、第２ネジ孔４５ａよりも第２頭部６２ａ側に形成されている。
【０１１８】
第２ネジ部材６２の外径は、第２貫通孔５２ａの内径よりも小さい。第２ネジ部材６２の外側面と第２貫通孔５２ａの内側面との間には、隙間が設けられている。
【０１１９】
第２バネ６４は、縦方向（Ｚ軸方向）に延びた圧縮コイルバネである。第２バネ６４の内側には、第２ネジ部材６２が通されている。第２バネ６４は、第３部材５０の第３延出部５２と第２部材４０の第２延出部本体４５との縦方向の間に配置されている。図７に示すように、第２バネ６４の上側の端部は、ワッシャー６５を介して第３延出部５２の下面と接触している。第２バネ６４の下側の端部は、第２延出部本体４５の上面と接触している。より詳細には、図５に示すように、第２バネ６４の下側の端部は、第２延出部本体４５に形成された凹部４５ｃ内に配置され、凹部４５ｃの底面と接触している。
【０１２０】
第２バネ６４は、第３延出部５２を介して第３部材５０に上向きの力を加えている。第２バネ６４は、第２延出部本体４５を介して第２部材４０に下向きの力を加えている。これにより、第２バネ６４は、第３部材５０と第２部材４０とに対して、第３部材５０と第２部材４０とを縦方向（Ｚ軸方向）に互いに離す向きに力を加えている。結果として、第２バネ６４によって、第３延出部５２の上面が第２頭部６２ａの下面に押し当てられている。
【０１２１】
ワッシャー６５には、図７に示すように、第２ネジ部材６２が通されている。ワッシャー６５の上面は、第３延出部５２の下面と接触している。ワッシャー６５は、第２バネ６４によって第３延出部５２の下面に下側から押し付けられている。
【０１２２】
固定ネジ６７は、図５および図８に示すように、前側（＋Ｘ側）から、第３部材５０の固定孔５１ｂおよび第２部材４０の固定孔４１ｂに通され、第１部材３０の固定ネジ孔３１ｄに螺合されている。固定ネジ６７の頭部穴は、例えば、六角穴である。固定ネジ６７が固定ネジ孔３１ｄに締め込まれることで、第１部材３０と第２部材４０と第３部材５０とが互いに固定され、各部材同士の相対移動が規制されている。
【０１２３】
固定ネジ６７が緩んだ状態において、第２部材４０は、第１部材３０に対して縦方向（Ｚ軸方向）に移動可能であり、第３部材５０は、第２部材４０に対して回転中心軸Ｊ１周りに回転可能である。すなわち、本明細書において、第２部材４０が第１部材３０に対して縦方向に移動可能である、とは、固定ネジ６７が緩んだ状態において移動可能なことを含む。また、本明細書において、第３部材５０が第２部材４０に対して回転中心軸Ｊ１周りに回転可能である、とは、固定ネジ６７が緩んだ状態において回転可能なことを含む。
【０１２４】
図２に示すように、固定ネジ６７は、レンズ位置固定孔７１ｃを介して、筐体３の外部から視認可能である。光軸方向（Ｘ軸方向）に沿って視た際に、固定ネジ６７は、レンズ位置固定孔７１ｃの内側に位置している。
【０１２５】
図３に示すように、調整機構２０は、下部がフィールドレンズ設置部７２Ｂに固定されることで、筐体本体部３ａに固定されている。調整機構２０の下部は、図４に示す挟持部７３の第１挟持壁部７３ａと第２挟持壁部７３ｂとの間に挟まれている。これにより、第１部材３０と第２部材４０と第３部材５０とが、挟持部７３によって挟まれて保持されている。
【０１２６】
調整機構２０は、筐体３に収容されている状態において、蓋部３ｂの内側面から離れた位置に設けられている。すなわち、筐体３に調整機構２０が収容された状態において、蓋部３ｂは、調整機構２０と接触していない。
【０１２７】
本実施形態の第１調整部６０ａおよび第２調整部６０ｂを操作することで、フィールドレンズ９０Ｂの光軸ＡＸの位置を調整することができる。以下、調整機構２０を用いたフィールドレンズ９０Ｂの光軸ＡＸの調整方法について説明する。
【０１２８】
図１１は、第１調整部６０ａを調整して、第２部材４０を図７に示す状態よりも上側に移動させた場合を示す正面図である。図１２は、第２調整部６０ｂを調整して、図７に示す状態に対して、第３部材５０を回転中心軸Ｊ１周りに回転させた場合を示す正面図である。図１１および図１２における二点鎖線は、図７に示す状態における各部材の位置を示している。二点鎖線の引き出し線で示した光軸ＡＸは、図７に示す状態におけるフィールドレンズ９０Ｂの光軸ＡＸを示している。
【０１２９】
まず、第１調整部６０ａを用いた光軸ＡＸの調整方法について説明する。固定ネジ６７が緩んだ状態において、図２に示す第１調整孔７１ａから筐体３内に調整器具を挿入して、第１調整部６０ａの第１ネジ部材６１を回す。本実施形態において調整器具は、例えば、六角レンチである。六角レンチを第１頭部６１ａの頭部穴に差し込んで第１ネジ部材６１を回す。これにより、第１ネジ部材６１が第１ネジ孔４７ｃに対して縦方向（Ｚ軸方向）に進退し、第１部材３０と第２部材４０との縦方向の相対位置を変化させることができる。
【０１３０】
例えば、図１１を参照しつつ、第１ネジ部材６１が第１ネジ孔４７ｃに対して相対的に下側に移動する場合について考える。第１ネジ部材６１の第１頭部６１ａは、筐体３に固定された第１部材３０の第１延出部３２に上側から接触しているため、第１ネジ部材６１の下側への移動は規制されている。したがって、第１ネジ部材６１の縦方向（Ｚ軸方向）の位置は変わらず、第２部材４０の縦方向の位置が変化する。これにより、第１ネジ部材６１を回して第１ネジ孔４７ｃに対して相対的に下側に移動させることで、図１１に示すように、第２部材４０を上側に移動させることができる。
【０１３１】
第３部材５０は、回転軸部４２ａを介して、第２部材４０に取り付けられているため、第２部材４０が上側に移動することで、第３部材５０も上側に移動する。したがって、第３部材５０に保持されたフィールドレンズ９０Ｂが上側に移動する。これにより、第１ネジ部材６１を所定の向きに回すことで、フィールドレンズ９０Ｂの光軸ＡＸの位置を上側に移動させることができる。
【０１３２】
一方、フィールドレンズ９０Ｂの光軸ＡＸの位置を下側に移動させる場合には、第１ネジ部材６１を回す向きを、光軸ＡＸの位置を上側に移動させる場合と逆向きにすればよい。この場合、第１ネジ部材６１は第１ネジ孔４７ｃに対して相対的に上側に移動するが、縦方向（Ｚ軸方向）が鉛直方向であるため、第２部材４０が自重によって下側に移動する。これにより、第１ネジ部材６１の縦方向の位置は変化せずに、第２部材４０が下側に移動し、結果として、フィールドレンズ９０Ｂの光軸ＡＸの位置を下側に移動させることができる。
【０１３３】
なお、本実施形態においては、第１バネ６３によって第１部材３０の第１延出部３２と第２部材４０の第２延出部４３とには、縦方向に互いに離れる向きに力が加えられている。そのため、縦方向（Ｚ軸方向）が鉛直方向以外の方向である場合であっても、第１ネジ部材６１の縦方向の位置は変化せずに、第１部材３０に対して第２部材４０が移動する。したがって、調整機構２０の姿勢がどのような姿勢であっても、光軸ＡＸの縦方向の位置をいずれの向きにも調整できる。
【０１３４】
以上のように、第１調整部６０ａによって、第１部材３０に対して第２部材４０を縦方向（Ｚ軸方向）に移動させることができ、結果として、フィールドレンズ９０Ｂの光軸ＡＸの縦方向の位置を調整することができる。
【０１３５】
次に、第２調整部６０ｂを用いた光軸ＡＸの調整方法について説明する。固定ネジ６７が緩んだ状態において、図２に示す第２調整孔７１ｂから筐体３内に調整器具を挿入して、第２調整部６０ｂの第２ネジ部材６２を回す。本実施形態において調整器具は、例えば、六角レンチである。六角レンチを第２頭部６２ａの頭部穴に差し込んで第２ネジ部材６２を回す。これにより、第２ネジ部材６２が第２ネジ孔４５ａに対して縦方向（Ｚ軸方向）に進退する。
【０１３６】
例えば、図１２を参照しつつ、第２ネジ部材６２が第２ネジ孔４５ａに対して相対的に下側に移動する場合について考える。この場合、第２頭部６２ａによって第３部材５０の第３延出部５２が下向きに押される。ここで、第２ネジ孔４５ａおよび第２貫通孔５２ａは横方向（Ｙ軸方向）において回転中心軸Ｊ１と異なる位置にあるため、第２頭部６２ａによって第３延出部５２が下向きに押されると、第３部材５０に回転中心軸Ｊ１を中心とした回転モーメントが加えられる。この場合においては、第３部材５０には、回転中心軸Ｊ１を中心として、正面視で反時計回りの回転モーメントが加えられる。したがって、図１２に示すように、第３部材５０を第２部材４０に対して、回転中心軸Ｊ１を中心として、正面視で反時計回りに回転させることができる。これにより、第３部材５０に保持されたフィールドレンズ９０Ｂを第２部材４０に対して回転させることができる。
【０１３７】
ここで、回転中心軸Ｊ１は光軸ＡＸと縦方向にずれているため、フィールドレンズ９０Ｂが回転中心軸Ｊ１周りに回転すると、フィールドレンズ９０Ｂの光軸ＡＸの横方向（Ｙ軸方向）の位置および縦方向（Ｚ軸方向）の位置の両方が変化する。図１２に示す場合には、フィールドレンズ９０Ｂが回転中心軸Ｊ１を中心として、正面視で反時計回りに回転することで、光軸ＡＸは、上側に移動し、かつ、右側（＋Ｙ側）に移動する。これにより、第２ネジ部材６２を所定の向きに回すことで、フィールドレンズ９０Ｂの光軸ＡＸを右側に移動させることができる。図７に示す状態から図１２に示す状態に変化した場合において、光軸ＡＸの上側への移動量は、光軸ＡＸの右側への移動量に比べて十分に小さい。すなわち、回転中心軸Ｊ１周りの回転が十分に小さければ、回転による光軸ＡＸの上側への移動量も十分に小さく、回転中心軸Ｊ１周りの回転により、フィールドレンズ９０Ｂを光軸ＡＸの横方向（Ｙ軸方向）に移動させることができる。
【０１３８】
このとき、第２部材４０には、反作用として第３部材５０に加えられる回転モーメントと逆向きの回転モーメントが回転中心軸Ｊ１周りに加えられる。しかし、本実施形態において、第２部材４０は、第１部材３０に対して、係合部４２ｂ，４２ｃおよびガイド孔３１ｂ，３１ｃを介して係合されており、第１部材３０に対する横方向（Ｙ軸方向）の移動が規制されている。そのため、第２ネジ部材６２を回しても、第２部材４０は第１部材３０に対して回転せず、第２部材４０の位置は変化しない。
【０１３９】
一方、フィールドレンズ９０Ｂの光軸ＡＸの位置を左側（−Ｙ側）に移動させる場合には、第１ネジ部材６１を回す向きを、光軸ＡＸの位置を右側（＋Ｙ側）に移動させる場合と逆向きにすればよい。この場合、第２ネジ部材６２は第２ネジ孔４５ａに対して相対的に上側に移動する。このとき、図１２のように回転した状態において、第３部材５０には、自重によって、回転中心軸Ｊ１を中心として正面視で時計回りに回転モーメントが加えられている。そのため、第２ネジ部材６２の第２頭部６２ａが上側に移動するのに伴って、第３部材５０は、回転中心軸Ｊ１を中心として正面視で時計回りに回転する。これにより、フィールドレンズ９０Ｂの光軸ＡＸを左側に移動させることができる。なお、図１２の状態から図７の状態に変化する場合の例では、フィールドレンズ９０Ｂの光軸ＡＸは、左側に移動すると共に、下側にも移動する。このとき、光軸ＡＸの下側への移動量は、光軸ＡＸの左側への移動量に比べて十分に小さい。
【０１４０】
なお、本実施形態においては、第２バネ６４によって第３部材５０の第３延出部５２と第２部材４０の第２延出部４３とには、縦方向に互いに離れる向きに力が加えられている。そのため、調整機構２０の姿勢によって第３部材５０が自重によって回転しない場合であっても、第２ネジ部材６２の第２頭部６２ａが上側に移動すると、第２バネ６４によって第３延出部５２が上側に押され、第３部材５０が回転中心軸Ｊ１を中心として正面視で時計回りに回転する。したがって、調整機構２０の姿勢がどのような姿勢であっても、光軸ＡＸの横方向（Ｙ軸方向）の位置をいずれの向きにも調整できる。
【０１４１】
以上のように、第２調整部６０ｂによって、第２部材４０に対して第３部材５０を回転中心軸Ｊ１周りに回転させることができ、結果として、フィールドレンズ９０Ｂの光軸ＡＸの横方向（Ｙ軸方向）の位置を調整することができる。
【０１４２】
上記説明した第１調整部６０ａによる調整と第２調整部６０ｂによる調整とを組み合わせることで、フィールドレンズ９０Ｂの光軸ＡＸの位置を調整することができる。フィールドレンズ９０Ｂの光軸ＡＸの位置調整は、第２調整部６０ｂによって光軸ＡＸの横方向（Ｙ軸方向）の位置を調整した後に、第１調整部６０ａによって光軸ＡＸの縦方向（Ｚ軸方向）の位置を調整することが好ましい。第２調整部６０ｂによって光軸ＡＸを移動させる際には、光軸ＡＸは、横方向に移動すると共に、縦方向にも移動する場合があるためである。
【０１４３】
上記のようにしてフィールドレンズ９０Ｂの光軸ＡＸの位置を調整した後、図２に示すレンズ位置固定孔７１ｃから筐体３内に調整器具を挿入して、固定ネジ６７を締める向きに回す。本実施形態において調整器具は、例えば、六角レンチである。固定ネジ６７を締め込むことで、第１部材３０と第２部材４０と第３部材５０とを互いに固定し、フィールドレンズ９０Ｂの光軸ＡＸの位置を固定する。
【０１４４】
このような調整作業を、各フィールドレンズ９０Ｒ，９０Ｇ，９０Ｂに対して行うことで、各液晶光変調装置４００Ｒ，４００Ｇ，４００Ｂに各色光を精度よく入射させることができる。
【０１４５】
本実施形態によれば、第１調整部６０ａの操作部である第１頭部６１ａと第２調整部６０ｂの操作部である第２頭部６２ａとが同じ側に臨んでいる。そのため、第１調整部６０ａの操作と第２調整部６０ｂの操作とを、共に同じ側から行うことができる。これにより、フィールドレンズ９０Ｂの光軸ＡＸの位置を調整することが容易である。
【０１４６】
また、例えば、第２ネジ部材６２の縦方向の進退運動を、第３部材５０（フィールドレンズ９０Ｂ）の単純な横方向の進退運動に変換する場合、第２ネジ部材６２と第３部材５０との間に運動方向を変換するための機構または部材を設ける必要がある。そのため、調整機構２０の部品点数が増加する等により、調整機構２０が複雑化しやすい問題があった。
【０１４７】
これに対して、本実施形態によれば、フィールドレンズ９０Ｂの光軸ＡＸの横方向への移動は、第３部材５０（フィールドレンズ９０Ｂ）を回転中心軸Ｊ１周りに回転させることで行う。そのため、例えば、第２ネジ部材６２を回転中心軸Ｊ１に対して横方向にずれた位置に配置することで、第２ネジ部材６２の縦方向の進退運動を第３部材５０の回転運動に容易に変換でき、結果として第２ネジ部材６２の縦方向の進退運動の一部を第３部材５０の横方向の進退運動に変換することができる。したがって、調整機構２０が複雑化することを抑制できる。
【０１４８】
以上のように、本実施形態によれば、フィールドレンズ９０Ｂの光軸ＡＸの縦方向および横方向の位置調整を同じ側から行うことが可能で、かつ、調整機構２０が複雑化することを抑制できる。したがって、調整機構２０が複雑化することを抑制しつつ、フィールドレンズ９０Ｂの光軸ＡＸの位置を調整する手間を低減できる構造を有するプロジェクター１が得られる。
【０１４９】
また、本実施形態によれば、固定ネジ６７を緩めることで、第１調整部６０ａおよび第２調整部６０ｂを調整してフィールドレンズ９０Ｂの光軸ＡＸの位置を調整できる。そのため、フィールドレンズ９０Ｂの光軸ＡＸを一度調整した後に光軸ＡＸのずれが生じた場合であっても、フィールドレンズ９０Ｂの光軸ＡＸの位置を再度調整することができる。また、調整機構２０がプロジェクター１に内蔵されているため、専用の調整設備等が不要である。そのため、光軸ＡＸの再調整に掛かる手間を低減でき、かつ、光軸ＡＸの再調整を迅速に行うことができる。
【０１５０】
また、例えば、第２ネジ部材を横方向に沿って配置し、第１調整部６０ａによって第２部材４０を縦方向に移動させるのと同様にして、第３部材５０を横方向に移動させる場合について考える。この場合、第１ネジ部材６１の第１頭部６１ａがフィールドレンズ９０Ｂに対して上側に設けられるのに対して、第２ネジ部材の第２頭部がフィールドレンズ９０Ｂに対して横方向の一方側に設けられる。そのため、調整機構２０が横方向および縦方向のいずれにも大型化する場合がある。
【０１５１】
これに対して、本実施形態によれば、第２ネジ部材６２の第２頭部６２ａと第１ネジ部材６１の第１頭部６１ａとが、フィールドレンズ９０Ｂに対して同じ側（本実施形態では上側）に設けられている。そのため、横方向および縦方向の少なくとも一方において、調整機構２０が大型化することを抑制できる。これにより、調整機構２０全体を小型化しやすい。
【０１５２】
また、本実施形態によれば、図７の状態において、回転中心軸Ｊ１の横方向位置は、フィールドレンズ９０Ｂの光軸ＡＸの横方向位置と同じである。そのため、図７の状態から回転中心軸Ｊ１周りにフィールドレンズ９０Ｂを回転させる際、回転角度が十分小さい範囲内においては、光軸ＡＸの縦方向の移動量を十分に小さくしやすい。これにより、第２調整部６０ｂによって光軸ＡＸを調整する際に、光軸ＡＸが縦方向にずれることを抑制しつつ、光軸ＡＸを横方向に移動させることができる。
【０１５３】
また、本実施形態によれば、調整機構２０によって光軸が調整される光学部材は、フィールドレンズ９０Ｂである。そのため、調整機構２０によって光軸ＡＸを調整することで、フィールドレンズ９０Ｂから射出される光の方向を調整することができる。これにより、プロジェクター１の光学系において精度よく光を導くことができ、光の利用効率を向上できる。
【０１５４】
また、本実施形態によれば、第１調整部６０ａは、縦方向に延びた第１ネジ部材６１を有しており、第１ネジ部材６１を回すことによって、第２部材４０を第１部材３０に対して縦方向に移動させることができる。そのため、簡易な構成によって、第２部材４０および第３部材５０を介してフィールドレンズ９０Ｂを移動させることができる。また、第１ネジ部材６１を回す量で、第２部材４０の移動量を調整できるため、第２部材４０の縦方向の位置、すなわちフィールドレンズ９０Ｂの光軸ＡＸの縦方向の位置を精度よく調整しやすい。
【０１５５】
また、例えば、第１貫通孔と第１ネジ孔とが平面視においてずれて形成されている場合、第１貫通孔を介して第１ネジ孔に螺合される第１ネジ部材が縦方向に対して傾いて配置される場合がある。この場合、第１ネジ部材には、第１貫通孔の内縁および第１ネジ孔の内縁から、縦方向と直交する方向に力が加えられ、第１ネジ部材の第１ネジ孔に対する相対的な進退運動が阻害される場合がある。特に、フィールドレンズ９０Ｂを縦方向に移動させる第１ネジ部材は、縦方向の寸法が大きくなりやすいため、第１貫通孔と第１ネジ孔との縦方向の距離が大きくなりやすく、第１ネジ部材の傾きがわずかであっても、各孔の内縁から受ける力によって第１ネジ部材に加えられるモーメントが大きくなりやすい。そのため、第１ネジ部材の第１ネジ孔に対する相対的な進退運動がより阻害されやすい。
【０１５６】
これに対して、本実施形態によれば、第１ネジ孔４７ｃは、第２部材本体に対して揺動可能に保持された板ナット４７に形成されている。そのため、例えば、第１貫通孔３２ａがずれた位置に形成された場合であっても、板ナット４７が揺動可能な範囲内で第１貫通孔３２ａのずれに応じて移動することで、第１貫通孔３２ａの位置と第１ネジ孔４７ｃの位置とを合わせることができる。したがって、第１ネジ部材６１が傾いて配置されることを抑制でき、第１ネジ部材６１の縦方向の進退運動が阻害されることを抑制できる。この効果は、第１貫通孔３２ａの形成される位置と第１ネジ孔４７ｃの形成される位置とが縦方向に離れているほど、特に大きく得られる。上述したように、第１貫通孔３２ａの形成される位置と第１ネジ孔４７ｃの形成される位置とが縦方向に離れているほど、第１貫通孔３２ａと第１ネジ孔４７ｃとがずれて第１ネジ部材６１が傾いた場合に、第１ネジ部材６１に加えられるモーメントが大きくなりやすいためである。
【０１５７】
また、本実施形態によれば、第２調整部６０ｂは、縦方向に延びた第２ネジ部材６２を有しており、第２ネジ部材６２を回すことによって、第３部材５０を第２部材４０に対して回転中心軸Ｊ１周りに回転させることができる。そのため、簡易な構成によって、第３部材５０を介してフィールドレンズ９０Ｂを移動させることができる。また、第２ネジ部材６２を回す量で、第３部材５０の回転移動量を調整できるため、第３部材５０の回転位置、すなわちフィールドレンズ９０Ｂの光軸ＡＸの横方向の位置を精度よく調整しやすい。
【０１５８】
また、例えば、第２ネジ孔が第３部材に形成されている場合、第３部材が回転中心軸Ｊ１周りに回転すると、第２ネジ孔も回転中心軸Ｊ１周りに回転する。そのため、第２ネジ孔に螺合された第２ネジ部材も回転中心軸Ｊ１周りに回転し、第２調整部の操作部である第２頭部の臨む向きが変化する。これにより、第２調整部によってフィールドレンズ９０Ｂの横方向の位置を調整する間に、第２頭部の臨む向きが変化し、第２調整部による調整がしにくくなる問題があった。
【０１５９】
これに対して、本実施形態によれば、第２ネジ孔４５ａは、第２部材４０に形成されている。そのため、第３部材５０が第２部材４０に対して回転した場合であっても、第２ネジ孔４５ａが回転せず、第２頭部６２ａの臨む向きが変化しない。これにより、第２調整部６０ｂによる調整がしにくくなることを抑制できる。
【０１６０】
また、本実施形態によれば、第１調整部６０ａの操作部である第１頭部６１ａと第２調整部６０ｂの操作部である第２頭部６２ａとは、筐体３の底部４ａと反対側に臨んでいる。そのため、調整機構２０が筐体本体部３ａのフィールドレンズ設置部７２Ｂに設置された状態において、第１調整部６０ａの操作および第２調整部６０ｂの操作を行いやすい。
【０１６１】
また、本実施形態によれば、フィールドレンズ設置部７２Ｂは、第１部材３０と第２部材４０と第３部材５０とを光軸方向に挟んで保持する挟持部７３を有している。そのため、調整機構２０がフィールドレンズ設置部７２Ｂに設置された状態において、筐体本体部３ａに固定された第１部材３０に対して、第２部材４０および第３部材５０が光軸方向に移動することを抑制できる。これにより、第１部材３０のガイド孔３１ｂ，３１ｃから第２部材４０の係合部４２ｂ，４２ｃが外れること、および第２部材４０の回転軸部４２ａから第３部材５０の嵌合孔５７ａが外れること、が抑制される。したがって、各部材同士の相対移動を可能としつつ、各部材同士の連結が外れることを抑制できる。
【０１６２】
また、本実施形態によれば、第１部材３０の押え部３５は、第１部材３０の第１枠状部３１の前側に配置された第２部材４０の第２枠状部４１および第３部材５０の第３枠状部５１よりも前側に位置し、正面視において重なっている。そのため、第２部材４０および第３部材５０が第１部材３０に対して前側に移動することを、押え部３５によって規制することができる。これにより、第１部材３０のガイド孔３１ｂ，３１ｃから第２部材４０の係合部４２ｂ，４２ｃが外れること、および第２部材４０の回転軸部４２ａから第３部材５０の嵌合孔５７ａが外れること、がより抑制される。したがって、各部材同士の相対移動を可能としつつ、各部材同士の連結が外れることをより抑制できる。
【０１６３】
このように、本実施形態によれば、調整機構２０の上部では押え部３５によって、調整機構２０の下部では挟持部７３によって、それぞれ調整機構２０の各部材の連結が外れることを抑制できる。したがって、調整機構２０の上下両方の部分において、各部材同士の連結を安定して維持することができ、調整機構２０によるフィールドレンズ９０Ｂの光軸ＡＸの調整作業をより安定して行いやすい。
【０１６４】
また、本実施形態によれば、筐体３の蓋部３ｂには第１調整孔７１ａおよび第２調整孔７１ｂが形成されており、各調整孔を介して各調整部の操作部、すなわち第１頭部６１ａおよび第２頭部６２ａが視認可能である。そのため、蓋部３ｂを取り外すことなく、調整機構２０が筐体３に収容された状態でフィールドレンズ９０Ｂの光軸ＡＸを調整することができる。これにより、光軸ＡＸの位置を再調整する場合の手間をより低減できる。
【０１６５】
また、本実施形態によれば、蓋部３ｂは、調整機構２０と接触していない。そのため、調整機構２０の各部材の移動が、蓋部３ｂによって阻害されることがない。これにより、蓋部３ｂが筐体本体部３ａに取り付けられた状態において、調整機構２０による光軸ＡＸ調整をより行いやすい。
【０１６６】
また、例えば、調整機構２０を組み立てる際においては、第１バネ６３を第１延出部３２と第２延出部本体４５との間に設置した後に、第１ネジ部材６１を第１貫通孔３２ａに上側から挿入させ、第１バネ６３および挿通孔４５ｂを通して、第１ネジ孔４７ｃに螺入させる。ここで、本実施形態によれば、第１バネ６３の下側の端部は、凹部４５ｄに収容されている。そのため、第１バネ６３の下側の端部の位置がずれることを抑制できる。これにより、第１ネジ部材６１を挿入する際に、第１バネ６３の位置がずれることを抑制できる。同様に、第２バネ６４の下側の端部は凹部４５ｄに収容されているため、第２ネジ部材６２を挿入する際に、第２バネ６４の位置がずれることを抑制できる。したがって、本実施形態によれば、調整機構２０を組み立てやすい。
【０１６７】
また、本実施形態によれば、リブ５４ｃ，５４ｄが設けられている。そのため、プロジェクター１に衝撃が加えられる等によって、フィールドレンズ９０Ｂが第３部材５０に対して、横方向あるいは縦方向に移動した場合であっても、フィールドレンズ９０Ｂがリブ５４ｃ，５４ｄと接触して、フィールドレンズ９０Ｂの第３部材５０に対する位置が大きくずれることが抑制される。これにより、フィールドレンズ９０Ｂに接触して力を加えている押圧部材５３の板バネ部５３ｃが、フィールドレンズ９０Ｂの移動によって、大きく変形することを抑制できる。したがって、板バネ部５３ｃが塑性変形して破損することを抑制できる。
【０１６８】
また、本実施形態によれば、押圧部材５３が抜け止め部５３ｂを有する。そのため、プロジェクター１に衝撃が加えられる等によってフィールドレンズ９０Ｂの押圧部材５３側の角部が前側に移動した場合に、抜け止め部５３ｂがフィールドレンズ９０Ｂと接触して、フィールドレンズ９０Ｂの移動を規制する。これにより、フィールドレンズ９０Ｂが第３部材５０から外れることを抑制できる。
【０１６９】
なお、本実施形態においては、以下の構成を採用することもできる。
【０１７０】
上記説明においては、光学部材をフィールドレンズ９０Ｒ，９０Ｇ，９０Ｂとしたが、これに限られず、光学部材は、例えば、リレーレンズ等のフィールドレンズ以外のレンズであってもよい。また、光学部材は、レンズに限られず、他の光学部材であってもよい。
【０１７１】
また、上記説明においては、第１貫通孔３２ａは、第１部材３０に形成され、第１ネジ孔４７ｃは、第２部材４０に形成された構成としたが、これに限られない。本実施形態においては、第１部材３０と第２部材４０とのいずれか一方に第１ネジ孔４７ｃが形成され、第１部材３０と第２部材４０とのいずれか他方に第１貫通孔３２ａが形成されていればよい。すなわち、第１貫通孔３２ａが第２部材４０に形成され、第１ネジ孔４７ｃが第１部材３０に形成されていてもよい。また、第１ネジ孔４７ｃは、第２延出部本体４５に直接形成されていてもよい。
【０１７２】
また、上記説明においては、第２貫通孔５２ａは、第３部材５０に形成され、第２ネジ孔４５ａは、第２部材４０に形成された構成としたが、これに限られない。本実施形態においては、第２部材４０と第３部材５０とのいずれか一方に第２ネジ孔４５ａが形成され、第２部材４０と第３部材５０とのいずれか他方に第２貫通孔５２ａが形成されていればよい。すなわち、第２貫通孔５２ａが第２部材４０に形成され、第２ネジ孔４５ａが第３部材５０に形成されていてもよい。
【０１７３】
また、第１調整部６０ａの操作部（第１頭部６１ａ）と第２調整部６０ｂの操作部（第２頭部６２ａ）とが臨む向きは、互いに同じ側であれば、特に限定されない。例えば、各操作部は、縦方向に対して斜めに傾いた方向の一方側に臨んでいてもよいし、横方向一方側に臨んでいてもよい。
【０１７４】
また、第１調整部６０ａの構成はおよび第２調整部６０ｂの構成は、ネジ部材を用いた構成に限られない。また、第１調整部６０ａは、第１バネ６３を有していなくてもよい。第２調整部６０ｂは、第２バネ６４を有していなくてもよい。
【０１７５】
また、筐体３の蓋部３ｂに形成された調整孔は、１つのみであってもよい。この場合、１つの調整孔から、第１頭部６１ａと第２頭部６２ａとの両方が視認可能な構成とできる。また、筐体３の蓋部３ｂには、調整孔が形成されていなくてもよい。この場合、蓋部３ｂを外した状態で、調整機構２０の操作を行う。
【０１７６】
なお、上記の各実施形態において、透過型のプロジェクターに本発明を適用した場合の例について説明したが、本発明は、反射型のプロジェクターにも適用することも可能である。ここで、「透過型」とは、液晶パネル等を含む液晶光変調装置が光を透過するタイプであることを意味する。「反射型」とは、液晶光変調装置が光を反射するタイプであることを意味する。
【０１７７】
また、上記の各実施形態では、３つの液晶光変調装置４００Ｒ，４００Ｇ，４００Ｂを備えるプロジェクター１を例示したが、１つの液晶光変調装置でカラー映像を表示するプロジェクター、および４つ以上の液晶光変調装置でカラー映像を表示するプロジェクターに適用することも可能である。また、光変調装置として、デジタルミラーデバイス（ＤＭＤ）を用いてもよい。
【０１７８】
また、上記説明した各構成は、相互に矛盾しない範囲内において、適宜組み合わせることができる。
【符号の説明】
【０１７９】
１…プロジェクター、３…筐体、３ａ…筐体本体部、３ｂ…蓋部、４ａ…底部、４ｂ…壁部、２０…調整機構、３０…第１部材、３２ａ…第１貫通孔、４０…第２部材、４５ａ…第２ネジ孔、４７…板ナット（揺動部材）、４７ｃ…第１ネジ孔、５０…第３部材、５２ａ…第２貫通孔、６０ａ…第１調整部、６０ｂ…第２調整部、６１…第１ネジ部材、６１ａ…第１頭部（操作部）、６２…第２ネジ部材、６２ａ…第２頭部（操作部）、７１ａ…第１調整孔（調整孔）、７１ｂ…第２調整孔（調整孔）、７２Ｒ，７２Ｇ，７２Ｂ…フィールドレンズ設置部（設置部）、７３…挟持部、９０Ｒ，９０Ｇ，９０Ｂ…フィールドレンズ（光学部材）、１００…光源装置（光源）、４００Ｒ，４００Ｇ，４００Ｂ…液晶光変調装置（光変調装置）、６００…投射光学装置、ＡＸ…光軸、Ｊ１…回転中心軸
【図１】
0006716935.tif 000002
【図２】
0006716935.tif 000003
【図３】
0006716935.tif 000004
【図４】
0006716935.tif 000005
【図５】
0006716935.tif 000006
【図６】
0006716935.tif 000007
【図７】
0006716935.tif 000008
【図８】
0006716935.tif 000009
【図９】
0006716935.tif 000010
【図１０】
0006716935.tif 000011
【図１１】
0006716935.tif 000012
【図１２】
0006716935.tif 000013